(57)【要約】【課題】使用後の封印具の切れ端が、硬貨などに紛れ込むことによる不慮の事故を未然防止する。また、外部から封印具の係止状態を不正に解除操作できないようにする。【解決手段】封印具を抜脱不可に挿着することにより、不正な開放を防止するようにした棒金輸送箱において、本体に設けられた封印具の係止孔５０を、開封時に破壊された封印具の下半部を排出できるように、その下端を外部に開放した。また、この開放部分から封印具を壊さずにその係止状態を解除操作できないように、係止孔５０を内方において略クランク状に屈曲させた。【選択図】　図２
2004070625.tif 000002
【特許請求の範囲】
【請求項１】
封印具を抜脱不可に挿着することにより、不正な開放を防止するようにした棒金輸送箱において、
本体に設けられた封印具の係止孔が、開封時に破壊された封印具の下半部を排出できるように、その下端が外部に開放されると共に、この開放部分から封印具を壊さずにその係止状態を解除操作できないように、内方において略クランク状に屈曲されていることを特徴とする棒金輸送箱の不正開封防止構造。
【発明の詳細な説明】
【０００１】
【発明の属する技術分野】
本発明は、硬貨を所定枚数（通常は５０枚）棒状に梱包した所謂棒金と称される硬貨単位を所定数、即ち所定金額をユニットとして収納し、主として金融機関同士間の輸送の際に用いられる棒金輸送箱に関する。
【０００２】
【従来の技術】
従来、この種の棒金輸送箱としては、本出願人が先に出願した特開２００１−１６０１６９に示されるものがある。
【０００３】
この棒金輸送箱は、図８に示すように、底板１と左右の側板２，３、前面板５、および蓋板６が連設された後面板４とが展開可能に合成樹脂で一体に成形されたものであり、各板をその隣り合った個所から直角に折立て、箱状に組み立てると、蓋板６の周囲に設けられた係止突縁６ａが側板２，３と前面板５の上端外周を取り囲み、側板２，３と前面板５を展開不可に係止し、箱状の形態を維持するようになっている。そして、この状態で図９に矢印で示すように、封印具９を蓋板６の先端に設けられた凹所６ｃ内の突片６ｄ，６ｄの間から前面板５の前部上端面に設けられた開口５ｃに差し込めば、封印具９先端の弾性係止片９ｂがこの開口５ｃの内部で拡がり、抜け止めされ、この封印具９を壊さない限り、箱を開放することができないようになっていた。
【０００４】
ここにおいて、上記従来の棒金輸送箱では、封印具９の先端が挿入される開口５ｃは、図１０の断面図に示すように、その下側が開口５ｄを介して箱の内部に連通していた。従って、開封時に破壊された封印具９の下半部分は、この開口５ｄから箱の内部に落下するようになっていた。
【０００５】
なお、図１１は、上述した封印具９の正面図である。図示したように、この種の棒金輸送箱の封印に用いられる封印具９は、横長の板状部９ａの下方に一対の弾性係止片９ｂ，９ｂを鉤状に連設したものであり、可撓性を有する合成樹脂で一体成形されている。また、上記板状部９ａの片側の表面には、金種や金額などを表示した札１０が一体的に接合して設けられている。
【０００６】
また、図９において符号７は、蓋板６の先端に設けられた係止片６ｂと係合し、蓋板６を開放不可に係止する係止具、５ａは、この係止具７を回動自在に保持する取付部を示す。また、８は吊下用の把手、５ｂは、封印具の係合部を示す。
【０００７】
【発明が解決しようとする課題】
上述した従来の棒金輸送箱では、開封時に破壊された封印具の下半部分が箱の内部に落下するようになっていたので、棒金の出し入れの際、一々、これを取り出さなくてはならず、煩わしく、また、これが異物として箱の内部に残った場合には、棒金の収納の邪魔になったり、あるいは棒金の収納高さが変わり、金種の誤りを引き起こすおそれもあった。さらには、この封印具の切れ端が硬貨と共に硬貨計数機などに紛れ込んで、思わぬトラブルを引き起こすおそれもあった。
【０００８】
そこで、封印具の切れ端が外部に落下するように、封印具の弾性係止片が係合する個所の下端を外部に開放すると、ここからドライバーやピッキング用具などを差し込み、封印具を壊さずに弾性係止片の係合を解除し、棒金輸送箱が不正に開放されるおそれが生じた。
【０００９】
本発明は、上述した従来の棒金輸送箱が有していた問題点の解決を課題とする。
【００１０】
【課題を解決するための手段】
上記の課題を解決するために、本発明では、封印具を抜脱不可に挿着することにより、不正な開放を防止するようにした棒金輸送箱において、本体に設けられた封印具の係止孔が、開封時に破壊された封印具の下半部を排出できるように、その下端を外部に開放し、かつ、この開放部分から封印具を壊さずにその係止状態を解除操作できないように、内方において略クランク状に屈曲したものである。
【００１１】
【発明の実施の形態】
以下、本発明を図示した実施の形態に基づき詳細に説明する。なお、図において従来例に示したものと同一の個所には、同一の符号を附している。
【００１２】
図１は、本発明に係る棒金輸送箱の一実施形態を示した正面図、図２は、その要部の拡大図である。この棒金輸送箱は、従来のものと同様に、透明あるいは半透明の合成樹脂で形成されており、底板１と左右の側板２，３、前面板５および後面板（図示せず）で展開可能な上面開放略箱形に組み立てられる本体１１と、この本体１１の上面を開閉し得るように取り付けられる蓋板６とからなり、閉蓋した際に、この蓋板６で本体１１を展開不可に保持するようになっている。そして、閉蓋状態で蓋板６の前端に設けられた挿入孔や係止片などの係止部６ｅ上から、本体１１の前面板５に設けられた係合部５ｂに封印具９（図１１参照）を差し込み、蓋板６を本体１１に連結することにより、この封印具９を壊さない限り、蓋板６を開放できないようにした点も従来のものと全く同じある。
【００１３】
なお、ここで用いられる封印具９も、図１１に示したように、下向きに抜止用の弾性係止片９ｂ，９ｂが一対、鉤形に設けられ、表面に金種表示用の札１０が取り付けられた従来公知のものである。
【００１４】
また、図１において符号１２，１３は、蓋板６の前端縁に摺動可能に取り付けられ、前面板５の上部に設けられた係合突起（図示せず）と係合することにより、蓋板６を開放不可に保持するスライドロックを示す。
【００１５】
ここにおいて本発明の棒金輸送箱では、封印具９が抜脱不可に係合する係合部５ｂを、図２の拡大図、並びに図３の平面図に示すように、前面板５の前方（図３において下側）に突出して設け、この係合部５ｂを上下方向に貫通するように、係止孔５０を設けている。この係止孔５０は、上方の入口５０ａ側の幅が狭く、内方で拡がって、この拡がった段部５１で封印具９の弾性係止片９ｂを係止するようになっている。また、その下方は、略クランク状に屈曲され、このことにより、下端の開放部分５０ｂが、入口５０ａ側の中心軸線上から外れた位置となるように設定されている。
【００１６】
上記係合部５ｂは、図４並びに図５に示すように前面板５の表面に一体形成された一対の平行なリブ５ｅ，５ｅの縦溝５ｆ，５ｆ間に、図６並びに図７に示すような形状に成形された入子板１４を抜け止め不可に一体的に嵌め込むことにより形成されている。
【００１７】
なお、図５において符号５ｆは、入子板１４の前後方向の動きを規制するために前面板５の表面に設けられた略Ｔ字形の係合溝、５ｈは、同じく前面板５の表面に設けられた位置決め孔を示す。また、図７において符号１４ａは、この係合溝５ｆに係合するよう入子板１４の裏面に設けられた同形状の係合突条、１４ｂは、上記位置決め孔５ｈに係合する抜け止め突起を示す。
【００１８】
次に、上記構成を有する本発明の棒金輸送箱の使用法について述べる。
【００１９】
まず、使用に際して本体１１を上面が開放された略箱形に組み立てるわけであるが、その組み立て手順は、従来の公知のものと何ら変わるところはないので、その説明を省略する。次に、このように上面が開放された略箱形に組み立てられた本体１１内に所定金種の棒金（図示せず）を、所定数、収納する。そして、蓋板６を閉めると、この蓋板６で本体１１を構成した前面板５と背面板（図示せず）及び左右の側板２，３が、展開不可に保持されるので、この状態でスライドロック１２，１３を移動させて、まず蓋板６を開放不可に固定する。次いで、スライドロック１２，１３間に現れた蓋板６先端の係止部６ｅに設けられた挿入孔（図示せず）から前面板５の係合部５ｂに設けられた係止孔５０内に封印具９の先端を差し込めば、封印具９の先端に鉤状に設けられた一対の弾性係止片９ｂ，９ｂが、係止孔５０の内部で拡がり、段部５１，５１で係止されることにより、封印具９が前面板５に抜け落ちないように取り付けられる。このことで蓋板６は、その先端が封印具９の板状部９ａで押えられ、前記スライドロック１２，１３の係合と相まって開放不可に保持されるものである。そして、この状態で万一、封印具９の係止状態を外そうとして、係止孔５０の下端開放部分５０ｂから不正にドライバーやピッキング用具等を差し込んだとしても、本発明の不正開封防止構造では、係止孔５０が途中でクランク状に曲がり、封印具９の係止個所が、下端開放部分と偏位し、かつ、奥まった位置にあるので、その係止状態を解除することはできない。よって、封印具９を壊さない限り、この棒金輸送箱を開放することはできず、輸送時における棒金のすり替えなどの不正が、確実に防止されるものである。
【００２０】
さらにまた、この封印具９は、スライドロック１２，１３がその係合状態を解除する方向（互いに接近する方向）に移動することも阻止するように機能し、このことでスライドロック１２，１３の係合状態が外れて蓋板６が不用意に開放されるおそれもない。
【００２１】
そして、輸送後、棒金輸送箱を開放するには、封印具９の板状部９ａの下側にドライバーなどを差し込み、板状部９ａをこじ上げたり、あるいは板状部９ａの後側にコインなどを差し込んで、この板状部９ａを前方に折り曲げたりすれば良く、このことで封印具９ａが壊され、その係止状態が解除されるので、封印具９の上半部を取り除き、スライドロック１２，１３を互いに接近する方向に移動させ、その係止状態を解除すれば、蓋板６を開放することができる。なお、その際、係止孔５０内に切れ残った封印具９の下半部は、係止孔５０の下端開放部分５０ｂから箱の外部に落下するので、棒金輸送箱内に紛れ込むおそれがない。よって、その排出の手間が省かれると共に、切れ端が硬貨等に紛れ込むことによる不慮の事故も未然防止される。
【００２２】
このように本発明の棒金輸送箱の不正開封防止構造は、機能するものである。
【００２３】
なお、図示した実施の形態では、棒金輸送箱として、底板１に前面板５が回動可能に連結されたものを図示したが、本発明の不正開封防止構造が採用される棒金輸送箱は、合成樹脂で展開可能な箱状に形成されたものであれば良く、例えば、前面板５や側板２，３などが柔軟な屈曲部を介して連設されるように、合成樹脂で一体成形されたものであっても良い。
【００２４】
また、蓋板６の係止手段としてスライドロック１２，１３が設けられた棒金輸送箱を例示したが、この係止手段はどのようなものであっても良く、例えば、図９に示したようなフック状の係止具で蓋板６を係止するようにしたものであっても良い。
【００２５】
【発明の効果】
以上説明したように、本発明の棒金輸送箱の不正開封防止構造では、封印具が抜け止め係止される係止孔を、その下端を外部に開放すると共に、この開放部分の内方を略クランク状に屈曲したので、開封時に破壊された封印具の切れ端が箱内に紛れ込むおそれがなく、その排出の手間が省かれると共に、硬貨等に紛れ込んで硬貨計数器等に混入するおそれもなく、このことによる不慮の事故も未然防止される。また、係止孔の下端の開放部分からドライバーやピッキングの器具などを用いて封印具の係止状態を解除操作することができないので、輸送時における棒金のすり替えなどの不正が確実に防止されるという効果がある。
【図面の簡単な説明】
【図１】本発明に係る棒金輸送箱の一実施形態を示した平面図である。
【図２】図１の要部拡大図である。
【図３】図２の平面図である。
【図４】前面板の要部を拡大した正面図である。
【図５】図４のＡ−Ａ線の断面図である。
【図６】入子板の正面図である。
【図７】入子板の平面図である。
【図８】棒金輸送箱の従来例を示した展開図である。
【図９】図８に示した棒金輸送箱の組立状態の斜視図である。
【図１０】従来の棒金輸送箱の断面図である。
【図１１】封印具の正面図である。
【符号の説明】
１　底板
２，３　側板
５　前面板
５ｂ　係合部
５ｅ　リブ
５ｆ　縦溝
５ｇ　係合溝
６　蓋板
６ａ　係止突縁
９　封印具
１１　本体
１２，１３　スライドロック
１４　入子板
５０　係止孔
５０ａ　入口
５０ｂ　下端開放部分
５１　段部
【図１】
2004070625.tif 000003
【図２】
2004070625.tif 000004
【図３】
2004070625.tif 000005
【図４】
2004070625.tif 000006
【図５】
2004070625.tif 000007
【図６】
2004070625.tif 000008
【図７】
2004070625.tif 000009
【図８】
2004070625.tif 000010
【図９】
2004070625.tif 000011
【図１０】
2004070625.tif 000012
【図１１】
2004070625.tif 000013